(57)【特許請求の範囲】
【請求項１】
ガバナの整圧管を、ガバナの防護箱内から外に延設した出口管内に挿入し、この出口管は、ガバナの防護箱内における上流側の等径部分と、偏心したレジューサを経て下流側の太径部分に連なる構成とし、且つ出口管内上部の管壁を、前記上流側の等径部分から下流側の太径部分に至るまで一線上に形成して、この一線上の上部管壁に沿って前記整圧管を支持する構成とし、前記整圧管の先端には、先端側を閉じ、横側に開口部を形成したキャップを装着したことを特徴とするガバナの整圧管設置機構
【請求項２】
キャップの開口部の総開口面積を、整圧管の断面積よりも小さく形成したことを特徴とする請求項１記載のガバナの整圧管設置機構
【請求項３】
出口管及び整圧管は，レジュ−サ部よりも上流側で、防護箱から突出した個所において溶接により接続する構成としたことを特徴とする請求項１，２記載のガバナの整圧管設置機構
【発明の詳細な説明】
【０００１】
【発明の属する技術分野】
本発明は、都市ガス供給系統等におけるガバナの整圧管設置機構に関するものである。
【０００２】
【従来の技術】
ガバナにおいて二次側圧力を検知するための整圧管は、圧力の安定している個所、即ちガバナのメインバルブから離れ、レジュ−サ部を経て太径となっている出口管の部分に接続して圧力を取り出す必要がある。
【０００３】
一方、工場で標準製作されたガバナユニット、即ち、入出力バルブ、フィルタ、遮断弁等の、ガバナ前後に必要な装置をガバナと共に工場でユニット化したものでは、ユニット内でガバナの二次側にあまり距離を確保することが不可能である。
【０００４】
従って整圧管はガバナユニット設置後、ここから少し離れた出口管の太径部分に接続するように現場で施工している。例えば、地上設置のガバナでは、図７に示すようにガバナユニットａの下方を掘削して、ガバナから適宜距離離れた個所において、整圧管ｂの先端を出口管ｃの上側に溶接して取り付けている。また地下設置のガバナでは、図８に示すように、ガバナユニットａを防護しているコンクリート壁ｄの更に外側を掘削して整圧管ｂの先端を出口管ｃの上側に溶接して取り付け、その上方には防護用の鉄板ｅを埋設している。尚、図中符号ｆはパイロット、符号ｇは入口管を示すものである。
【０００５】
【発明が解決しようとする課題】
以上の従来技術では、次のような課題がある。
ａ．他事業者の工事等において整圧管を損傷される恐れがある。
ｂ．整圧管の埋設部では腐食の発生の恐れがある。
ｃ．地震等による地盤の変動で整圧管が損傷する恐れがある。
ｄ．整圧管の設置工事に時間がかかる。
従って本発明は、これらの課題を解決することを目的とするものである。
【０００６】
【課題を解決するための手段】
本発明では上記の課題を解決するために、ガバナの整圧管を、ガバナの防護箱内から外に延設した出口管内に挿入し、この出口管は、ガバナの防護箱内における上流側の等径部分と、偏心したレジューサを経て下流側の太径部分に連なる構成とし、且つ出口管内上部の管壁を、前記上流側の等径部分から下流側の太径部分に至るまで一線上に形成して、この一線上の上部管壁に沿って前記整圧管を支持する構成とし、前記整圧管の先端には、先端側を閉じ、横側に開口部を形成したキャップを装着したガバナの整圧管設置機構を提案する。
【０００７】
そして、本発明では、上記の構成において、キャップの開口部の総開口面積を、整圧管の断面積よりも小さく形成することを提案する。
【０００８】
また本発明では、上記の構成において、出口管及び整圧管は，レジュ−サ部よりも上流側で、防護箱から突出した個所において溶接により接続する構成とすることを提案する。
【０００９】
このような構成においては、整圧管の先端をガバナの防護箱から離れた出口管の太径部内の適所まで至らせることにより、安定した二次側圧力を検知することができるにもかかわらず、整圧管は防護箱外においては出口管内に支持されているので、他の工事又は地震等における整圧管の損傷や腐食の発生を防止することができ、設置工事も容易となる。
【００１０】
殊に、整圧管を上流側からレジュ−サ部を経た太径部分に渡って一線上に形成した出口管内上部管壁に支持する構成とすることにより、管内流速が大きくなった場合の整圧管の振動の発生を防止することができる。
【００１１】
また整圧管の先端に、先端側を閉じ、横側に開口部を形成したキャップを装着することにより、二次側圧力の変動を抑制することができ、この抑制効果は、キャップの開口部の総開口面積を、整圧管の断面積よりも小さく形成することにより大きくすることができる。
【００１２】
【発明の実施の形態】
次に本発明の実施の形態を図１〜図６を参照して説明する。
図１は本発明を適用したガバナ設備の構成の一例を概念的に示す系統図であり、この図は地下に設置したガバナ設備を地上側から見た状態、即ちガバナ設備を平面図的に表している。
符号１はガバナユニットであり、このガバナユニット１は、ガバナ２と共に、入口管３、入側バルブ４、出口管５、出側バルブ６、ボールバルブ７、Ｖポートバルブ８を設けたバイパス管９、整圧管１０等の必要な装置類を鋼製箱１１内に一体化して構成している。
【００１３】
図２に示すように、ガバナユニット１において、出口管５及び整圧管１０は鋼製箱１１から適宜の寸法だけ突出させた構成とし、設置現場において溶接により埋設側のそれらと接合する構成としている。図示はしていないが入口管３についても同様である。尚、図においてガバナユニット１側の出口管と整圧管は夫々符号５ａ，１０ａで表し、これらと接合する埋設側の出口管と整圧管は夫々符号５ｂ，１０ｂで表している。
【００１４】
整圧管１０ａはガバナユニット１の鋼製箱１１内において出口管５ａ内に挿入し、挿入個所１３を溶接により気密接合すると共に出口管５の上部の管壁に近接した位置に沿って配置し、先端は出口管５ａの先端よりも内側に位置させている。そして整圧管１０ａの先端には整圧管１０ｂを溶接により接合するためのソケット１４を設けている。ソケット１４と整圧管１０ｂの先端には、溶接において整圧管１０ｂを支持するために螺合部を形成することができる。
【００１５】
図３，図４はガバナユニット１側の出口管５ａ及び整圧管１０ａと接合する出口管５ｂ及び整圧管１０ｂの構成を表したもので、出口管５ｂは、上流側の出口管５ａに接合するために等しい径に形成した等径部分ｓと、これよりも太く形成した太径部分ｔと、これらの間を接続するレジュ−サ部分ｒとから構成している。レジュ−サ部分ｒは、等径部分ｓの中心軸と太径部分ｔの中心軸とを偏心させて形成していて、上部の管壁は、等径部分ｓからレジュ−サ部分ｒを経て太径部分ｔに至るまで一線上に形成されている。
【００１６】
整圧管１０ｂは、上述した一線上の上部の管壁に沿い、これに近接した状態で支持部材１５により支持されている。図の支持部材１５はリング状の構成で、整圧管１０ｂを摺動可能に支持する構成としている。そして出口管５ｂの太径部分ｔ側に位置する整圧管１０ｂの先端にはキャップ１６を装着している。キャップ１６は、図６に最も明確に表れているように、先端側は閉じていて、横側にのみ開口部１７を形成している。
【００１７】
以上の構成のガバナユニット１を地下に設置する場合には、図５に示すように鋼製箱１１を防護用のコンクリート箱１２内に収納し、整圧管１０ｂの先端を、整圧管１０ａの先端のソケット１４に嵌合して溶接により接合した後、出口管５ａと出口管５ｂの等径部の夫々の端部を溶接して設置作業を完了する。符号１８が溶接個所を示す。
【００１８】
以上の構成では、現場において整圧管の先端を出口管の横側に溶接により接合するという、従来必要であった難しい作業が不要となるので、熟練を必要とせず、設置の時間が短縮される。
【００１９】
また以上の構成では、整圧管１０は、先端がレジューサ部ｒから下流側に十分に離れた位置に支持することができるので、レジューサ部ｒにおける流体の乱れの影響をなくして整圧性能の向上を図ることができる。
【００２０】
このような効果を有する上、整圧管１０はコンクリート箱１２外においては出口管５内に支持されるので、ａ．他事業者の工事等における損傷事故を防止することができる、ｂ．直接に土と接触しないため腐食しにくい、ｃ．地震等による損傷が防止できるというような効果を有する。
【００２１】
また整圧管１０は、出口管５ａから、出口管５ｂのレジュ−サ部ｒを経た太径部分ｔに渡って、管壁に近接して支持されるので、出口管５内のガスの流速が大きくなっても振動の発生が防止される。
【００２２】
以上のことから整圧管１０の径は従来よりも細く、例えば半分程度の径とすることができ、大流量域等における出口管５ｂ内の流体の圧力の変動に対する影響、例えばガバナの二次側圧力が大流量域付近において一時的に上昇する等の影響を低減して、ガバナの二次側圧力の変動を抑制することができる。整圧管１０の先端に、先端側を閉じ、横側に開口部１７を形成したキャップ１６を装着すれば、圧力変動の影響を更に受けにくくなり、キャップ１６の開口部１７の総開口面積を整圧管５の断面積よりも小さく形成すれば最良の結果が得られる。
【００２３】
尚、以上の実施の形態では、ａ．レジュ−サ部分ｒは、等径部分ｓの中心軸と太径部分ｔの中心軸とを偏心させて形成し、出口管５の上部の管壁は、等径部分ｓからレジュ−サ部分ｒを経て太径部分ｔに至るまで一線上に形成する点と、ｂ．整圧管１０の先端に、先端側を閉じ、横側に開口部１７を形成したキャップ１６を装着する点の両方を適用しているが、いずれか一方のみを適用することができるものである。
【図面の簡単な説明】
【図１】    本発明の整圧管設置機構を地下設置のガバナに適用したガバナ設備の構成の一例を概念的に示す平面図である。
【図２】    図１のガバナ設備を構成するガバナユニットの一部を示す説明図である。
【図３】    図１のガバナ設備を構成する埋設側の要素の一部を示す説明図である。
【図４】    図３のＡ−Ａ断面図である。
【図５】    図１のガバナ設備を側面側から見た説明図である。
【図６】    図５の、整圧管の先端側を拡大した断面図である。
【図７】    地上設置のガバナにおける従来の整圧管設置機構の構成を概念的に示す説明図である。
【図８】    地下設置のガバナにおける従来の整圧管設置機構の構成を概念的に示す説明図である。
【符号の説明】
１                                    ガバナユニット
２                                    ガバナ
３                                    入口管
４                                    入側バルブ
５                                    出口管
６                                    出側バルブ
７                                    ボールバルブ
８                                    Ｖポートバルブ
９                                    バイパス管
１０                                  整圧管
１１                                  鋼製箱
１２                                  コンクリート箱
１３                                  挿入個所
１４                                  ソケット
１５                                  支持部材
１６                                  キャップ
１７                                  開口部
１８                                  溶接個所
ｓ                                    等径部
ｒ                                    レジュ−サ部
ｔ                                    大径部
【図１】
0003682735.tif 000002
【図２】
0003682735.tif 000003
【図３】
0003682735.tif 000004
【図４】
0003682735.tif 000005
【図５】
0003682735.tif 000006
【図６】
0003682735.tif 000007
【図７】
0003682735.tif 000008
【図８】
0003682735.tif 000009